(57)【要約】      （修正有）【課題】電子表示システム及びそのスクリーン輝度の調整方法を提供する。【解決手段】電子表示システム１及びそのスクリーン輝度の調整方法であって、電子表示システムは、電子表示装置１０と、信号接続線と２０を備える。電子表示装置は、信号接続線によりコンピュータシステム３０と電気的に接続される。信号接続線は、商用電源供給端子に選択的に接続される。電子表示装置は、接続ポートと、制御チップと、スクリーンと、スクリーン輝度調整モジュールとを備える。制御チップは、接続ポートが信号接続線と接続された後に、信号接続線が商用電源供給端子に接続されたか否かを判断することにより、スクリーン輝度調整モジュールに、スクリーンの調整可能な最大輝度を最大予定輝度に等しくするか又はそれよりも小さくするように制御させる。【選択図】図１
2020201945.tif 000002
【特許請求の範囲】
【請求項１】
コンピュータシステムと電気的に接続された電子表示システムであって、
当該コンピュータシステムに接続され商用電源供給端子に選択的に接続される信号接続線、及び
当該信号接続線と接続された接続ポートと、
当該接続ポートと接続された制御チップと、
スクリーンと、
当該制御チップ及び当該スクリーンに電気的に接続され、当該スクリーンの輝度を調整するため  のスクリーン輝度調整モジュールと、
を備えた電子表示装置を備え、
当該制御チップが、当該信号接続線が当該商用電源供給端子と接続されたと判断した場合、当該スクリーン輝度調整モジュールは、当該スクリーンの調整可能な最大輝度が当該スクリーンの最大予定輝度に等しくなるように制御し、当該制御チップが、当該信号接続線が当該商用電源供給端子と接続されていないと判断した場合、当該スクリーン輝度調整モジュールは、当該スクリーンの当該調整可能な最大輝度が当該スクリーンの当該最大予定輝度よりも小さくなるように制御する、電子表示システム。
【請求項２】
当該信号接続線は、
当該電子表示装置に接続するための第１接続ヘッドと、
当該コンピュータシステムに接続するための第２接続ヘッドと、
当該商用電源供給端子と分離可能に接続するための第３接続ヘッドと、
当該第２接続ヘッドに接続するダイオードと、
を備え、
当該信号接続線の当該第３接続ヘッドが当該商用電源供給端子と接続された場合、当該信号接続線が当該第１接続ヘッドを介して伝送する電圧値は、第１電圧となり、当該制御チップは、当該第１電圧に応じて当該スクリーンの当該調整可能な最大輝度を当該最大予定輝度に等しくし、
当該信号接続線の当該第３接続ヘッドが当該商用電源供給端子と接続されていない場合、当該信号接続線が当該ダイオードによって当該第１接続ヘッドを介して伝送する電圧値は、当該第１電圧よりも小さい第２電圧となり、当該制御チップは、当該第２電圧に応じて当該スクリーンの当該調整可能な最大輝度を当該最大予定輝度よりも小さくする、請求項１に記載の電子表示システム。
【請求項３】
当該信号接続線の当該第３接続ヘッドは、当該商用電源供給端子と接続されず且つ当該第１接続ヘッドによって当該コンピュータシステムと接続された場合、当該スクリーン輝度調整モジュールは、当該信号接続線が接続された当該コンピュータシステムの異なる接続ポートに応じて当該電子表示装置の当該調整可能な最大輝度を、異なる輝度を有するようにを制限する、請求項２に記載の電子表示システム。
【請求項４】
当該電子表示システムは、ユニバーサルシリアルバス検知ユニットをさらに備え、当該信号接続線の当該第２接続ヘッドは、当該コンピュータシステムのユニバーサルシリアルバスジョイントにさらに接続され、
当該ユニバーサルシリアルバス検知ユニットが当該信号接続線が当該コンピュータシステムのユニバーサルシリアルバス２．０の接続ポートと接続されたことを検知した場合、当該スクリーン輝度調整モジュールは、当該スクリーンの当該調整可能な最大輝度が当該第１輝度となるように制御し、
当該ユニバーサルシリアルバス検知ユニットが当該信号接続線が当該コンピュータシステムのユニバーサルシリアルバス３．０の接続ポートと接続されたことを検知した場合、当該スクリーン輝度調整モジュールは、当該スクリーンの当該調整可能な最大輝度が当該第２輝度となるように制御する、請求項２ないし３のいずれか一項に記載の電子表示システム。
【請求項５】
当該第１輝度は当該スクリーンの当該最大予定輝度の３０％であり、当該第２輝度は当該スクリーンの当該最大予定輝度の６０％である、請求項３ないし４のいずれか一項に記載の電子表示システム。
【請求項６】
商用電源供給端子に選択的に接続される信号接続線によりコンピュータシステムと電気的に接続された電子表示装置のスクリーンに用いられるスクリーン輝度の調整方法であって、
当該接続ポートが当該信号接続線と接続された後に、当該信号接続線が当該商用電源供給端子に接続したか否かを判断する工程と、
当該信号接続線が当該商用電源供給端子と接続されていない場合、当該スクリーンの調整可能な最大輝度が最大予定輝度よりも小さくなるように制御する工程と、を含むスクリーン輝度の調整方法。
【請求項７】
当該信号接続線が当該商用電源供給端子と接続された場合、当該スクリーンの当該調整可能な最大輝度が当該最大予定輝度に等しくなるように制御する工程をさらに含む、
請求項６に記載のスクリーン輝度の調整方法。
【請求項８】
当該信号接続線から伝送する電圧値が第１電圧であると判断した場合、当該スクリーンの当該調整可能な最大輝度が当該最大予定輝度に等しくなるように制御する工程と、
当該信号接続線から伝送する電圧値が当該第１電圧よりも小さい第２電圧であると判断した場合、当該スクリーンの当該調整可能な最大輝度が当該最大予定輝度よりも小さくなるように制御する工程と、
をさらに含む、請求項７に記載のスクリーン輝度の調整方法。
【請求項９】
当該信号接続線が当該コンピュータシステムのユニバーサルシリアルバス２．０の接続ポートと接続されたことを検知した場合、当該スクリーンの当該調整可能な最大輝度が当該第１輝度となるように制御する工程と、
当該信号接続線が当該コンピュータシステムのユニバーサルシリアルバス３．０の接続ポートと接続されたことを検知した場合、当該スクリーンの当該調整可能な最大輝度が当該第２輝度となるように制御する工程と、
をさらに含む、請求項８に記載のスクリーン輝度の調整方法。
【請求項１０】
当該第１輝度は当該スクリーンの最大予定輝度の３０％であり、当該第２輝度は当該スクリーンの最大予定輝度の６０％である、請求項８ないし９のいずれか一項に記載のスクリーン輝度の調整方法。
【発明の詳細な説明】
【技術分野】
【０００１】
本発明は、電子表示システム及びそのスクリーン輝度の調整方法に関し、特に、電源信号に応じて使用状態を調整可能な電子表示システム及びそのスクリーン輝度の調整方法に関する。
【背景技術】
【０００２】
現在、市販の電子ディスプレイは、コンピュータシステムと電気的に接続し、例えばユニバーサルシリアルバス（ＵＳＢ）の接続ポート及び高解像度マルチメディアインタフェース（ＨＤＭＩ（登録商標））の接続ポートにそれぞれ接続することで、制御信号と映像信号を伝送可能である。そして外部給電により電源を受け、例えばアダプターに直接に接続することで外部電源を受ける。しかし、そうすると、何本もの接続線を携帯する必要があり、そうしなければ、電子ディスプレイは動作できない。また、従来技術ではコンピュータシステムのユニバーサルシリアルバスの接続ポートと電気的に接続すると同時に電源を受けることもできるが、ユニバーサルシリアルバスの接続ポートの規格に制限されて、電子ディスプレイは、十分なワット数の電源信号を受けることができず、正常に起動できない。
【０００３】
したがって、新たな電子表示システム及びそのスクリーン輝度の調整方法を発明し、従来技術の欠点を解決する必要がある。
【発明の概要】
【発明が解決しようとする課題】
【０００４】
本発明の主な目的は、電源信号に応じて使用状態を調整可能な効果を有する電子表示システムを提供することにある。
【０００５】
本発明のもう一つの主な目的は、前記システムに用いられるスクリーン輝度の調整方法を提供することにある。
【課題を解決するための手段】
【０００６】
上述した目的を達成するために、本発明に係る電子表示システムは、コンピュータシステムと電気的に接続される。電子表示システムは、信号接続線及び電子表示装置を備える。信号接続線は、コンピュータシステムに接続され、商用電源供給端子に選択的に接続される。電子表示装置は、接続ポートと、制御チップと、スクリーンと、スクリーン輝度調整モジュールとを備える。接続ポートは、信号接続線に接続される。制御チップは、接続ポートが信号接続線と接続された後に、信号接続線が商用電源供給端子に接続されたか否かを判断するためのに用いられ、スクリーン輝度調整モジュールは、制御チップ及びスクリーンに電気的に接続され、スクリーンの輝度を調整するために用いられ、信号接続線が商用電源供給端子と接続された場合、スクリーン輝度調整モジュールは、スクリーンの調整可能な最大輝度が最大予定輝度に等しくなるように制御し、信号接続線が商用電源供給端子と接続されていない場合、スクリーン輝度調整モジュールは、スクリーンの調整可能な最大輝度が最大予定輝度よりも小さくなるように制御する。
【０００７】
本発明に係るスクリーン輝度の調整方法は、接続ポートが信号接続線と接続された後に、信号接続線が商用電源供給端子に接続したか否かを判断する工程と、信号接続線が商用電源供給端子と接続されていない場合、スクリーンの調整可能な最大輝度が最大予定輝度よりも小さくなるように制御する工程と、を含む。
【図面の簡単な説明】
【０００８】
【図１】本発明に係る電子表示装置と信号接続線との接続の外観模式図である。
【図２】本発明に係る電子表示装置の構造模式図である。
【図３】本発明に係るスクリーン輝度の調整方法の工程のフローチャートである。
【発明を実施するための形態】
【０００９】
貴局の審査員が本発明の技術内容を理解できるように、好適で具体的な実施例を挙げて次のように説明する。
【００１０】
以下、まず図１を参照し、図１は、本発明に係る電子表示装置と信号接続線との接続の外観模式図である。断っておくが、以下、「第１」、「第２」などの用語を使用して種々の要素を説明するが、これらの要素はこれらの用語に制限されない。これらの用語は、１つの要素を他の要素から区別するためのものに過ぎない。例えば、説明される種々な実施例の範疇を逸脱しない限り、第１接続ヘッドを第２接続ヘッドと称してもよく、同様に、第２接続ヘッドを第１接続ヘッドと称してもよい。第１接続ヘッドと第２接続ヘッドはともに接続ヘッドであるが、同一の接続ヘッドではない。
【００１１】
本発明の１つの実施形態においては、電子表示システム１は、電子表示装置１０と、信号接続線２０とを備え、電子表示装置１０は、信号接続線２０によりコンピュータシステム３０と電気的に接続される。図１から分かるように、信号接続線２０は、第１接続ヘッド２１と、第２接続ヘッド２２と、第３接続ヘッド２３と、第４接続ヘッド２４とを備える。第１接続ヘッド２１は、電子表示装置１０の接続ポート１１に接続され、Ｔｙｐｅ−Ｃジョイントであってもよい。第２接続ヘッド２２は、コンピュータシステム３０に接続され、制御信号を伝送するためのものであり、ユニバーサルシリアルバスジョイントであってもよい。当該信号接続線２０は、第３接続ヘッド２３で商用電源供給端子４０に接続されることによって、電源信号を電子表示装置１０に供給してもよいが、電子表示装置１０の電源信号は、コンピュータシステム３０から第２接続ヘッド２２を介して提供されてもよく、又は内蔵された電池から提供されてもよく、本発明はこれに限られない。最後に第４接続ヘッド２４も、コンピュータシステム３０に接続され、映像信号を伝送するためのものであり、ＨＤＭＩジョイントであってもよい。前記信号接続線２０は本発明の一つの実施例の説明に過ぎず、本発明は、信号接続線２０のジョイント数及び規格が図１と完全に一致することを制限しない。
【００１２】
次に、図２を参照し、図２は、本発明に係る電子表示装置の構造模式図である。
【００１３】
本発明の当該電子表示装置１０は、接続ポート１１と、制御チップ１２と、スクリーン１３と、スクリーン輝度調整モジュール１４と、ユニバーサルシリアルバス検知ユニット１５とを備える。接続ポート１１は当該信号接続線２０に接続される。当該接続ポート１１が当該信号接続線２０と接続された後に、当該制御チップ１２は、当該信号接続線２０が当該商用電源供給端子４０に接続されたか否かを判断することで、電子表示装置１０が第１モードを実行するか又は第２モードを実行するかを決定する。当該信号接続線２０が当該商用電源供給端子４０と接続された場合、電子表示装置１０が十分なワット数の電源信号を受けられることを示す。このとき、当該制御チップ１２は、当該電子表示装置１０に第１モードを実行させ、即ち電子表示装置１０の使用効能を制限しない。当該信号接続線２０が当該商用電源供給端子４０と接続されていない場合、電子表示装置１０の電源信号がコンピュータシステム３０のユニバーサルシリアルバスの接続ポートのみから提供されるので、電子表示装置１０は、十分なワット数の電源信号を受けられないことを示す。したがって、当該制御チップ１２は、当該電子表示装置１０に第２モードを実行させ、即ち電子表示装置１０の一部の効能を制限し、電子表示装置１０の電力消費量を低減させる。信号接続線２０は、第３接続ヘッド２３によって当該商用電源供給端子４０と接続されたと同時に第２接続ヘッド２２によってコンピュータシステム３０のユニバーサルシリアルバスの接続ポートと接続された場合、商用電源供給端子４０と接続されたので、電子表示装置１０は、十分なワット数の電源信号を受けることができるため、電子表示装置１０は当該第１モードを実行する。
【００１４】
一般的には、商用電源供給端子４０から変換された電源信号とコンピュータシステム３０のユニバーサルシリアルバスの接続ポートから提供された電源信号の電圧値は同様で、５ボルトである。よって、制御チップ１２が当該信号接続線２０が当該商用電源供給端子４０に接続されたか否かを認識できるように、信号接続線２０には、ダイオード２５が追加して設けられ、このダイオード２５は第２接続ヘッド２２の伝送経路上に設けられた。当該信号接続線２０が当該商用電源供給端子４０と接続された場合、当該信号接続線２０で伝送する電圧値は第１電圧で、５ボルトである。しかし、当該信号接続線２０が当該商用電源供給端子４０と接続されていない場合、第２接続ヘッド２２で伝送する電源信号は、当該ダイオード２５を介して電圧降下が生じ、電圧値を当該第１電圧から第２電圧に降下させ、例えば４．８ボルトに降下させる。これによって、当該制御チップ１２は、当該信号接続線２０から伝送された電圧値が５ボルトの第１電圧又は４．８ボルトの第２電圧であるかを判断することによって、当該電子表示装置１０に当該第１モード又は当該第２モードを実行させる。
【００１５】
スクリーン１３は、コンピュータシステム３０から伝送された映像信号を表示するためのものである。スクリーン輝度調整モジュール１４は、当該制御チップ１２及び当該スクリーン１３に電気的に接続され、当該スクリーン１３の輝度を調整するためのものである。本発明に係る実施例においては、スクリーン１３の輝度を低減することにより電子表示装置１０の電力消費量を低減させる。これによって、当該電子表示装置１０の当該第１モードで、電子表示装置１０の使用効能を制限しないので、当該スクリーン輝度調整モジュール１４は、当該スクリーン１３の調整可能な最大輝度がスクリーン１３の元の最大予定輝度に等しくなるように制御する。しかし、当該電子表示装置１０の当該第２モードで、電子表示装置１０の一部の効能が制限され、当該スクリーン輝度調整モジュール１４は、当該スクリーン１３の当該調整可能な最大輝度がスクリーン１３の当該最大予定輝度よりも小さくなるように制御する。このように、スクリーン１３の電力消費量を低減させることができる。
【００１６】
電子表示装置１０が当該第２モードを実行するとき、当該スクリーン輝度調整モジュール１４は、さらに、当該信号接続線２０が接続されたコンピュータシステム３０の接続ポートの種類に応じて、当該電子表示装置１０の当該調整可能な最大輝度が第１輝度となるか又は第２輝度となるかを制限する。当該第２輝度は第１輝度よりも大きく、例えば当該第１輝度は当該スクリーン１３の最大予定輝度の３０％であり、当該第２輝度は当該スクリーン１３の最大予定輝度の６０％であるが、本発明はこの数値に限られない。したがって、電子表示装置１０は、当該信号接続線２０が当該コンピュータシステム３０のユニバーサルシリアルバス２．０の接続ポートされたか、又はユニバーサルシリアルバス３．０の接続ポートに接続されたかを検知可能なユニバーサルシリアルバス検知ユニット１５を有する。当該ユニバーサルシリアルバス検知ユニット１５は、当該信号接続線２０が当該コンピュータシステム３０のユニバーサルシリアルバス２．０の接続ポートに接続されたことを検知した場合、ユニバーサルシリアルバス２．０の接続ポートの給電能力（５ボルト／０．５アンペア）に制限され、当該スクリーン輝度調整モジュール１４は、当該スクリーン１３の当該調整可能な最大輝度が相対的に暗い第１輝度となるように制御する。当該ユニバーサルシリアルバス検知ユニット１５は、当該信号接続線２０が当該コンピュータシステム３０のユニバーサルシリアルバス３．０の接続ポートと接続されたことを検知した場合、ユニバーサルシリアルバス３．０の接続ポートの給電能力がよく（５ボルト／０．９アンペア）、当該スクリーン輝度調整モジュール１４は、当該スクリーン１３の当該調整可能な最大輝度が相対的に明るい当該第２輝度となるように制御する。
【００１７】
そして、当該ユニバーサルシリアルバス検知ユニット１５は、当該信号接続線２０が当該コンピュータシステム３０の当該ユニバーサルシリアルバス２．０の接続ポートに接続され、当該スクリーン１３の輝度が当該第１輝度よりも大きく、例えば、このとき、スクリーン１３の輝度がフルであることを検知した場合、当該スクリーン輝度調整モジュール１４は、当該スクリーン１３の輝度を当該第１輝度に調整し、即ち最大予定輝度の３０％に強制的に低減させる。しかし、当該ユニバーサルシリアルバス検知ユニット１５は、当該信号接続線２０が当該コンピュータシステム３０の当該ユニバーサルシリアルバス３．０の接続ポートに接続され、当該スクリーン１３の輝度が当該第２輝度よりも大きいことを検知した場合、当該スクリーン輝度調整モジュール１４は、当該スクリーン１３の輝度を当該第２輝度に調整し、即ち最大予定輝度の６０％に強制的に低減させる。
【００１８】
断っておくが、電子表示装置１０が有する各モジュールは、ハードウェア装置、ソフトウェアプログラムとハードウェア装置の組合せ、ファームウェアとハードウェア装置の組合せなどによって構成されたものであるが、本発明は上記に限られない。なお、断っておくが、本実施形態は、本発明の好ましい実施例を例示したに過ぎず、贅言を回避するために、全ての可能な変化組合せを詳細に記載しない。しかし、当業者は、上述した各モジュール又は要素が必ずしも必要なものではないことを理解できる。本発明を実施するために、他の比較的細部の従来のモジュール又は要素を含む可能性もある。各モジュール又は要素は、必要に応じて省略又は修飾することができ、任意の両モジュール間にはモジュール又は要素が必ず存在しないとは限らない。
【００１９】
次に、図３を参照し、図３は、本発明に係るスクリーン輝度の調整方法の工程フローチャートである。ここで、断っておくが、以下、上述した電子表示装置１０を例として本発明のスクリーン輝度の調整方法を説明したが、本発明のスクリーン輝度の調整方法は、上述した同じ構造に用いられる電子表示装置１０に限られない。
【００２０】
まず、工程３０１を行い、当該接続ポートが当該信号接続線と接続された後に、当該信号接続線が当該商用電源供給端子に接続したか否かを判断する。
【００２１】
まず、当該接続ポート１１が当該信号接続線２０と接続された後に、当該制御チップ１２は、当該信号接続線２０から伝送された電圧値の大きさ、例えば当該信号接続線２０から伝送された電圧値が５ボルトの第１電圧であるか又は４．８ボルトの第２電圧であるかを判断し、当該信号接続線２０が当該商用電源供給端子４０に接続されたか否かを確認する。
【００２２】
当該信号接続線２０が当該商用電源供給端子４０と接続された場合、工程３０２に進み、当該電子表示装置に第１モードを実行させる。
【００２３】
当該信号接続線２０が当該商用電源供給端子４０と接続された場合、このとき、当該制御チップ１２は、当該電子表示装置１０に第１モードを実行させ、即ち電子表示装置１０の使用効能を制限しない。
【００２４】
このように、工程３０３を実行し、当該スクリーンの調整可能な最大輝度が最大予定輝度に等しくなるように制御する。
【００２５】
当該電子表示装置１０の当該第１モードで、電子表示装置１０の使用効能を制限しないので、当該スクリーン輝度調整モジュール１４は、当該スクリーン１３の調整可能な最大輝度がスクリーン１３の元の最大予定輝度に等しくなるように制御する。よって、使用者は、スクリーン１３の輝度を最大予定輝度に調整することができる。
【００２６】
他方、当該信号接続線２０が当該商用電源供給端子４０と接続されていない場合、工程３０４を実行し、当該電子表示装置に第２モードを実行させる。
【００２７】
当該信号接続線２０が当該商用電源供給端子４０と接続されていない場合、電子表示装置１０は、十分なワット数の電源信号を受けることができないことを示す。したがって、当該制御チップ１２は、当該電子表示装置１０に第２モードを実行させ、即ち電子表示装置１０の一部の効能を制限し、電子表示装置１０の電力消費量を低減させる。
【００２８】
そして工程３０５を行い、当該スクリーンの当該調整可能な最大輝度が当該最大予定輝度よりも小さくなるように制御する。
【００２９】
当該電子表示装置１０の当該第２モードで、電力消費量を低減させるために、電子表示装置１０の一部の効能が制限される。よって、このとき、当該スクリーン輝度調整モジュール１４は、当該スクリーン１３の当該調整可能な最大輝度が当該最大予定輝度よりも小さくなるように制御する。
【００３０】
このとき、信号接続線が接続されたコンピュータシステムの接続ポートの規格を検知する工程３０６をさらに実行してもよい。
【００３１】
このとき、ユニバーサルシリアルバス検知ユニット１５は、当該信号接続線２０が当該コンピュータシステム３０のユニバーサルシリアルバス２．０の接続ポート接続されたか、又はユニバーサルシリアルバス３．０の接続ポートに接続されたかをさらに検知することで、電子表示装置１０の受けられる電源信号のワット数を取得することができる。
【００３２】
当該ユニバーサルシリアルバス検知ユニット１５は、当該信号接続線２０が当該コンピュータシステム３０のユニバーサルシリアルバス２．０の接続ポートに接続されたことを検知した場合、工程３０７を行い、当該スクリーンの当該調整可能な最大輝度が第１輝度となるように制御する。
【００３３】
ユニバーサルシリアルバス２．０の接続ポートの給電能力に制限され、当該スクリーン輝度調整モジュール１４は、当該スクリーン１３の当該調整可能な最大輝度が比較的に暗い第１輝度となり、例えば当該スクリーン１３の最大予定輝度の３０％となるように制御する。このとき、使用者が調整可能なスクリーン１３の輝度は、最大予定輝度の３０％を超えない。スクリーン１３の輝度が既に第１輝度を超えた場合であっても、スクリーン輝度調整モジュール１４は、当該スクリーン１３の輝度が第１輝度まで低減するように制御する。
【００３４】
最後に、当該ユニバーサルシリアルバス検知ユニット１５は、当該信号接続線２０が当該コンピュータシステム３０のユニバーサルシリアルバス３．０の接続ポートに接続されたことを検知した場合、工程３０８を実行し、当該スクリーンの当該調整可能な最大輝度が第２輝度となるように制御する。
【００３５】
ユニバーサルシリアルバス３．０の接続ポートの給電能力がよいので、当該スクリーン輝度調整モジュール１４は、当該スクリーン１３の当該調整可能な最大輝度が相対的に明るい当該第２輝度となり、例えば当該スクリーン１３の最大予定輝度の６０％となるように制御する。このとき、使用者が調整可能なスクリーン１３の輝度は、最大予定輝度の６０％を超えない。スクリーン１３の輝度が既に第２輝度を超えた場合であっても、スクリーン輝度調整モジュール１４は、当該スクリーン１３の輝度が第２輝度まで低減するように制御する。
【００３６】
ここで、本発明のスクリーン輝度の調整方法は、上述した工程順に限られず、本発明の目的を達成できれば、上述した工程順を変えることもできる。
【００３７】
これによって、本発明の電子表示装置１０は、受ける電源信号に応じて効能上の調整を行うことで、最適の利用効果を達成することができる。
【００３８】
断っておくが、上述した実施形態は、本発明の好ましい実施例を例示したに過ぎず、贅言を回避するために、全ての可能な変化組合せを詳細に記載しない。しかし、当業者は、上述した各モジュール又は要素が必ずしも必要なものではないことが理解できる。本発明を実施するために、他の比較的細部の従来のモジュール又は要素を含む可能性もある。各モジュール又は要素は、必要に応じて省略又は修飾することができ、任意の両モジュール間にはモジュール又は要素が必ず存在しないとは限らない。本発明の基本的構造から逸脱しない限り、本特許が主張する権利範囲であり、特許請求の範囲を準じる。
【符号の説明】
【００３９】
１：電子表示システム
１０：電子表示装置
１１：接続ポート
１２：制御チップ
１３：スクリーン
１４：スクリーン輝度調整モジュール
１５：ユニバーサルシリアルバス検知ユニット
２０：信号接続線
２１：第１接続ヘッド
２２：第２接続ヘッド
２３：第３接続ヘッド
２４：第４接続ヘッド
２５：ダイオード
３０：コンピュータシステム
４０：商用電源供給端子
【図１】
2020201945.tif 000003
【図２】
2020201945.tif 000004
【図３】
2020201945.tif 000005